(57)【要約】【課題】第１・第２の電極パターンの組み合わせによりメッシュパターンを構築するデザインを採用する場合、第１・第２の電極パターンを構成する各電極が、スタイラスペン使用を想定した感度でも、誤検出抑制の上で好適なタッチセンサ用電極の冗長設計パターンを提供する。【解決手段】相互に交差する第１・第２方向に沿ってマトリックス状に並べられた複数の画素上に配置されるタッチパネルに用いられ、第１・第２の電極パターンが絶縁交差してなる組み合わせにより、平面視において矩形セルを構成単位とするメッシュパターンを構築するデザインのメッシュ要素からなるタッチセンサ用電極において、前記電極パターンは枝状に突き出た末端線分を一切有さない構成とする。【選択図】図６
2017004289.tif 000002
【特許請求の範囲】
【請求項１】
相互に交差する第１・第２方向に沿ってマトリックス状に並べられた複数の画素上に配置されるタッチパネルに用いられ、第１・第２の電極パターンが絶縁交差してなる組み合わせにより、平面視において矩形セルを構成単位とするメッシュパターンを構築するデザインのメッシュ要素からなるタッチセンサ用電極において、
第１電極方向に沿って延びる帯形状を有し、かつ、前記第１電極方向と交差する方向である第２電極方向に沿って第１隙間を空けて並ぶ複数の第１電極と、前記第２電極方向に沿って延びる帯形状を有し、かつ、前記第１電極方向に沿って第２隙間を空けて並び、複数の前記第１電極の各々と立体的に交差する複数の第２電極とを備え、
複数の前記第１電極の各々は、第１線方向に沿って延びる直線形状を有する線分である複数の第１主線と、前記第１線方向と交差する方向である第２線方向に沿って延び、複数の第１主線を連結する直線形状を有した線分である複数の第１副線とを含み、
複数の前記第２電極の各々は、前記第２線方向に沿って延びる直線形状を有する線分である複数の第２主線と、前記第１線方向に沿って延び、複数の第２主線を連結する直線形状を有した線分である複数の第２副線とを含み、
前記第１電極の各々は、前記第１主線と前記第１副線との交差によって形成される複数の第１交差点を有し、前記第２電極の各々は、前記第２主線と前記第２副線との交差によって形成される複数の第２交差点を有し、
前記第１・第２の電極パターンには、前記第１交差点および前記第２交差点から連結して先に延び、先端が自由端となる末端線分を、何れの前記第１・第２交差点においても含まないことを特徴とするタッチセンサ用電極。
【請求項２】
前記第１・第２の電極パターン内には、前記第１交差点および前記第２交差点から連結せずに断線箇所を備えて先に延び、両端が自由端となる直線からなる末端線分をダミー電極として含む構成である請求項１記載のタッチセンサ用電極。
【請求項３】
ダミー電極が、両端が自由端となり屈曲点を有する線分からなる末端線分、あるいは交差点から延びる末端線分が自由端である十字状の形状である請求項２記載のタッチセンサ用電極。
【請求項４】
第１面と第２面とを有した透明誘電体層を備え、透明誘電体層の第１面には、請求項１〜３の何れかに記載される上記第１電極パターンからなるタッチセンサ用電極が形成され、第２面には、上記第２電極パターンからなるタッチセンサ用電極が形成されてなるタッチパネル。
【請求項５】
第１の透明誘電体層の片面に、請求項１〜３の何れかに記載される上記第１電極パターンからなるタッチセンサ用電極が形成され、第２の透明誘電体層の片面に、上記第２電極パターンからなるタッチセンサ用電極が形成され、第１・第２の電極パターンが絶縁交差して組み合わせられるように、第１・第２の透明誘電体層が一体化されてなる構成のタッチパネル。
【発明の詳細な説明】
【技術分野】
【０００１】
本発明は、複数の電極の各々が複数の電極線を備えるタッチセンサ用電極およびタッチパネルに関する。
【背景技術】
【０００２】
電子機器の入力デバイスとしてタッチパネルが広く用いられている。タッチパネルは、第１面と第２面とを有した透明誘電体層を備え、透明誘電体層の第１面には、Ｘ方向に沿って延びる帯形状を有した複数の第１電極が位置し、透明誘電体層の第２面には、Ｘ方向に対して直交するＹ方向に沿って延びる帯形状を有した複数の第２電極が位置している。
【０００３】
タッチパネルは、１つの第１電極と複数の第２電極の各々との間における静電容量の変化が検出されて、タッチパネルの操作面における指やスタイラスペンなどの導体の位置が検出される。第１電極や第２電極を形成する材料には、電極ごとの抵抗値を下げるために、銀や銅等の金属が用いられている（例えば、特許文献１参照）。
【０００４】
タッチパネルを構成する複数の電極の各々は、静電容量の変化を検出するための導電性に加えて、タッチパネルの操作面に像を表示する上での光透過性が求められている。
第１・第２電極が共にメッシュ（網目）からなる帯を構成単位とする場合、それらが重なり合うことにより、第１・第２電極が一致しないと、平面視で金属線の占める面積が増え、光透過性の低下を招くことになる。
【０００５】
本出願人は、第１・第２電極が重なり合うことにより、全体として平面視で矩形を構成単位とするメッシュ（網目）が構成されるように、第１・第２電極のパターンを分解して設計した各種パターンを提案している（例えば、特許文献２参照）。
【０００６】
特許文献２では、図１に示されるドライブ電極（第１電極）４０が並列したパターンと、図２に示されるセンシング電極（第２電極）５０が並列したパターンとを組み合わせることにより、図３に示される矩形（一辺αの正方形）を構成単位とするメッシュパターンが構成される。
図３では、図１のパターン（黒で図示される４０）上に図２のパターン（白で図示される５０）が重ね合わされ、全体として平面視で矩形を構成単位とするメッシュ（網目）が構成されており、５本の主電極線がセットとなって並列される分の幅を持つ帯形状の各電極が、隙間Ｓｓ，Ｓｄで隔てられた３行×３列の直交座標が形成されている。
【０００７】
第１電極からなるパターンと第２電極からなるパターンは、それぞれが右下がり／右上がりの長方形の閉空間部分を備えており、それら自体が網目の粗いメッシュ要素である。
特許文献２に係るパターン設計によれば、複数の第１主電極線の各々と、複数の第２主電極線の各々とは、第１電極が延びる方向である第１方向、および、第２電極が延びる方向である第２方向と交差する方向に沿って延びる。相互に隣り合う２本の第１主電極線と、相互に隣り合う２本の第２主電極線とによって区画される四角形状のパターンは、透明誘電体層の表面から見て、第１方向、および、第２方向と交差する方向に沿って並ぶ。それゆえに、マトリックス状に並べられた複数の画素（図示していないが、図３で、垂直／水平方向にマトリクス配置される）上にタッチパネルが重ねられるとき、透明誘電体層の表面から見て、複数の画素の各々が並ぶ方向は、上記四角形状のパターンが並ぶ方向に交差する。結果として、第１電極と第２電極とによって形成されるパターンには、複数の画素の各々を区画する格子状のパターンと斜めに交差する複数の四角形状のパターンが含まれる。そのため、タッチパネルの備える複数の電極線に起因した干渉縞の発生が抑えられる。
第１・第２パターンの設計思想について、第１電極（ドライブ電極）の一例で代表して説明する。
【０００８】
図１，図４に示されるように、複数のドライブ電極４０の各々は、Ｙ方向と直交するＸ方向に沿って延び、Ｙ方向に沿って間隔をあけて並べられている。複数のドライブ電極４０の各々は、それのＸ方向の一端において端子部４３に接続され、複数の端子部４３の各々は、ドライブ電極４０を選択する選択回路に接続されている。
【０００９】
複数のドライブ電極４０の各々は、相互に異なる方向に沿って延びる２種類の電極線、すなわち、複数の第２主電極線４１と、複数の第２副電極線４２とから構成されている。複数のドライブ電極４０の各々では、複数の第２主電極線４１と複数の第２副電極線４２とが網目状に接続されている。
【００１０】
相互に隣り合う２つのドライブ電極４０の間の隙間は、ドライブ電極間領域Ｓｓとして設定される。ドライブ電極間領域Ｓｓは、電極線の形成されていない領域であり、相互に隣り合う２つのドライブ電極４０を、ドライブ電極間領域Ｓｓに存在する主電極線４１，副電極線４２を除去（断線）させることにより電気的に絶縁する。（図４参照）
【００１１】
図４に示されるように、複数のドライブ電極４０の各々において、複数の第２主電極線４１の各々は、Ｘ方向に沿って延びる第１直線Ａｓと交差する方向に沿って延び、かつ、相互に平行な直線である。複数の第２主電極線４１の各々と第１直線Ａｓとのなす角度θは、９０°以外の角度に設定され、相互に隣り合う２本の第２主電極線４１の間の距離は、格子定数αとして設定されている。
【００１２】
複数の第２副電極線４２の各々は、第１直線Ａｓ、および、第２主電極線４１と交差する方向に沿って延びる相互に平行な直線であって、複数の第２副電極線４２の各々と第２主電極線４１とのなす角度は、９０°に設定されている。
【００１３】
複数の第２副電極線４２の各々は、Ｘ方向に沿って相互に隣り合う３本の第２主電極線４１に接続され、Ｘ方向に沿って相互に隣り合う３本の第２主電極線４１は、相互に異なる２本の第２副電極線４２によって接続されている。ドライブ電極４０が形成する網目状のパターンでは、相互に隣り合う３本の第２主電極線４１と、相互に隣り合う２本の第２副電極線４２とによって、１つの第２パターン要素が構成され、複数の第２パターン要素がＸ方向に沿って繰り返し配置されている。
【００１４】
相互に隣り合う２つのドライブ電極４０の間では、第２主電極線４１の延びる方向において２本の第２主電極線４１が相互に向かい合い、相互に向かい合う２本の第２主電極線４１の間の第１距離Ｌ１は、図示の例では、第１距離Ｌ１＝２×格子定数αを満たしている。換言すれば、複数のドライブ電極４０の各々における第２主電極線４１は、１つの方向に沿って延びる１つの電極線から、ドライブ電極間領域Ｓｓに相当する部分として、第１距離Ｌ１の線分が切り取られた形状に形成されている。図４では、ドライブ電極間領域Ｓｓの切り取り（絶縁化）に伴い、主電極線４１が切断されて一端が自由端となって枝状に突き出した状態となっている箇所が複数あり、枝状の長さが最大で３×αの箇所も見られるが、副電極線４２が切断されて枝状になる箇所は存在しないように設計されている。
【００１５】
なお、複数の第２主電極線４１の各々の長さの最小単位が、格子定数αに設定されるので、１つのドライブ電極４０において第２主電極線４１の端部を結ぶ線Ｂｓは、第２主電極線４１ごとに九十九折り状に屈曲する。ドライブ電極間領域ＳｓのＹ方向における第１幅Ｗ１の変化は、Ｘ方向に沿って並ぶ第２パターン要素ごとに繰り返し配置される。
【００１６】
一般に、タッチパネルは、指やスタイラスペンを用いてタッチ操作がされる。スタイラスペンを用いた場合には、静電容量の変化が指でタッチした場合より小さいことが知られている。
【００１７】
静電容量の変化を調整する目的，あるいは配線の粗密に伴って生じる画面内での明暗の分布を一様にする目的で、並んだ電極の間に、ダミー電極を形成することがある。ダミー電極はフローティングと称されることもあり、電極と導通せず電気的に独立し、電極間の寄生容量を低下させ、隣接する電極が相互に高周波駆動時に発生するショートを防止する。 
【００１８】
図３，図４は、ダミー電極を具備しない場合の電極パターンの図示であるが、電極を構成する電極線にエッチング不良等によってクラックが形成されていると、クラックの部分は、タッチパネルが繰り返し使用されるうちに、断線してしまうことがある。
【００１９】
図５（ａ）に示すように、ドライブ主線３１ＭＬとドライブ副線３１ＳＬの第１交差点３７において、エッチング不良等が原因で、クラック１０３が形成されてしまうことがある。
不完全断線であるクラック１０３の部分は、タッチパネル２０が繰り返し使用されるうちに、図５（ｂ）に示すように断線してしまうことがある。
断線箇所においては、相対する端部が近接しているため、使用状況によって、端部同士の接続や非接続が発生する。このため、使用者が指やスタイラスペンで触れなくても、静電容量の変化が生じる。
【００２０】
設計分野では、不測の事態に備えた対策を講じておき、システムの信頼性を増加させる手法として、冗長設計が取り入れられ、タッチパネル配線パターンの設計においても採用される。
図５（ａ）（ｂ）に例示するように、断線した第１主線末端線分３８ａ１及び第１副線末端線分３８ｂ１は、短いほど、断線時の静電容量の変化が小さくなる。
当初設計による３８ａ１，３８ｂ１が点線部分で示す末端線分（自由端が枝状に突き出た箇所）の形状であると、断線により絶縁され、本来、電極として占める筈の導体がダミー化する比率が高くなり、静電容量の変化は無視できないものとなる。
【００２１】
特許文献２のように、第１・第２の電極パターンの組み合わせによりメッシュパターンを構築するデザインを採用する場合、電極間領域Ｓｓに相当する部分などで絶縁のため、メッシュ要素を切り取る操作が必要となり、第１・第２の各電極パターンの電極は、枝状に突き出た末端線分を多く有する構成となってしまう。
上述の通り、末端線分は予期せぬ断線によりダミー化する可能性を有しており、導体部が所望の設計通り、電極／ダミーとして所定の機能を奏するとは限らない。
【００２２】
従って、冗長設計では、末端線分３８ａ１，３８ｂ１は極力短く設計することが望まれており、断線箇所の相対する端部同士が接続や非接続の状態となっても、静電容量の変化が小さくなり、コントローラがこの静電容量の変化を誤検出してしまうことを抑制することができる。
【先行技術文献】
【特許文献】
【００２３】
【特許文献１】特開２０１３−１５６７２５号公報
【特許文献２】国際公開  ＷＯ２０１４／１１５８３２
【発明の概要】
【発明が解決しようとする課題】
【００２４】
本発明は、第１・第２の電極パターンの組み合わせによりメッシュパターンを構築するデザインを採用する場合、第１・第２の電極パターンを構成する各電極が、その境界で枝状に突き出た末端線分を有さない構成で、スタイラスペン使用を想定した感度でも、誤検出抑制の上で好適なタッチセンサ用電極の冗長設計パターンを提供することを目的とする。
【課題を解決するための手段】
【００２５】
以上のような課題を解決する本発明によるタッチセンサ用電極は、
相互に交差する第１・第２方向に沿ってマトリックス状に並べられた複数の画素上に配置されるタッチパネルに用いられ、第１・第２の電極パターンが絶縁交差してなる組み合わせにより、平面視において矩形セルを構成単位とするメッシュパターンを構築するデザインのメッシュ要素からなるタッチセンサ用電極において、
第１電極方向に沿って延びる帯形状を有し、かつ、前記第１電極方向と交差する方向である第２電極方向に沿って第１隙間を空けて並ぶ複数の第１電極と、前記第２電極方向に沿って延びる帯形状を有し、かつ、前記第１電極方向に沿って第２隙間を空けて並び、複数の前記第１電極の各々と立体的に交差する複数の第２電極とを備え、
複数の前記第１電極の各々は、第１線方向に沿って延びる直線形状を有する線分である複数の第１主線と、前記第１線方向と交差する方向である第２線方向に沿って延び、複数の第１主線を連結する直線形状を有した線分である複数の第１副線とを含み、
複数の前記第２電極の各々は、前記第２線方向に沿って延びる直線形状を有する線分である複数の第２主線と、前記第１線方向に沿って延び、複数の第２主線を連結する直線形状を有した線分である複数の第２副線とを含み、
前記第１電極の各々は、前記第１主線と前記第１副線との交差によって形成される複数の第１交差点を有し、前記第２電極の各々は、前記第２主線と前記第２副線との交差によって形成される複数の第２交差点を有し、
前記第１・第２の電極パターンには、前記第１交差点および前記第２交差点から連結して先に延び、先端が自由端となる末端線分を、何れの前記第１・第２交差点においても含まないことを特徴とする。
【００２６】
前記第１・第２の電極パターン内には、前記第１交差点および前記第２交差点から連結せずに断線箇所を備えて先に延び、両端が自由端となる直線からなる末端線分（または、両端が自由端となり屈曲点を有する線分からなる末端線分）をダミー電極として含む構成としても良い。
【００２７】
本発明によるタッチパネルは、第１面と第２面とを有した透明誘電体層を備え、透明誘電体層の第１面には、上記第１電極パターンからなるタッチセンサ用電極が形成され、第２面には、上記第２電極パターンからなるタッチセンサ用電極が形成されてなる。
または、第１の透明誘電体層の片面に、上記第１電極パターンからなるタッチセンサ用電極が形成され、第２の透明誘電体層の片面に、上記第２電極パターンからなるタッチセンサ用電極が形成され、第１・第２の電極パターンが絶縁交差して組み合わせられるように、第１・第２の透明誘電体層が一体化されてなる構成でも良い。
【発明の効果】
【００２８】
以上のような構成によれば、電極線が断線した時に、電極から浮遊（絶縁〜孤立）してダミー電極と化してしまう可能性の高い金属線が電極パターン内に存在しないため、誤検出を抑制する上で有効な冗長設計パターンが提供される。
【図面の簡単な説明】
【００２９】
【図１】従来技術に係るタッチセンサ用電極パターンの一例を示す説明図。
【図２】従来技術に係るタッチセンサ用電極パターンの一例を示す説明図。
【図３】図１，図２の組み合わせにより構成されるメッシュパターンを示す説明図。
【図４】図１の電極パターンの設計思想を説明するための拡大図。
【図５】電極パターン内での電極線の（ａ）不完全断線（ｂ）完全断線を示す説明図。
【図６】本発明に係るタッチセンサ用電極パターンの一例を示す説明図。
【図７】本発明に係るタッチセンサ用電極パターンの一例を示す説明図。
【図８】図７，図８の組み合わせにより構成されるメッシュパターンを示す説明図。
【図９】本発明によるタッチセンサ用電極パターンを用いたタッチパネルを液晶表示装置に適用した一例を示す断面説明図。
【発明を実施するための形態】
【００３０】
［第１実施形態］
図６から図９を参照して、第１実施形態におけるタッチセンサ用電極、タッチパネルを説明する。
【００３１】
［ドライブ電極の構成］
図６を参照してドライブ電極の構成を説明する。図６においては、ドライブ電極３１ＤＰを構成する複数のドライブ電極線の配置を説明する便宜上、２つのドライブ電極３１ＤＰ（左右方向に走る）の中で４つの容量検出部ＮＤを構成する部分を拡大して示し、かつ、ドライブ電極線の線幅を誇張している。
【００３２】
図６に示すように、複数のドライブ電極３１ＤＰの各々は、複数のドライブ主線３１ＭＬと、複数のドライブ副線３１ＳＬとを備える。１つのドライブ主線３１ＭＬは、複数のドライブ副線３１ＳＬが交差し、また、１つのドライブ副線３１ＳＬには、複数のドライブ主線３１ＭＬが交差する。
【００３３】
複数のドライブ主線３１ＭＬの各々は、第１電極方向Ｄ１と第２電極方向Ｄ２の間にある第１線方向ＤＬ１に沿って延びる直線形状を有する線分である。複数のドライブ主線３１ＭＬの一部は、第２電極方向Ｄ２において相互に隣り合う２つの容量検出部ＮＤに跨る線分となっている。また、ドライブ主線３１ＭＬの一部は、第１電極方向Ｄ１に相互に隣り合う容量検出部ＮＤ間で途切れる線分となっている。
【００３４】
また、ドライブ主線３１ＭＬは、第１電極方向Ｄ１と第２電極方向Ｄ２の間にある第２線方向ＤＬ２の最小の主線間隔ＷＭからその２倍の間隔２ＷＭを空けて、第２線方向ＤＬ２に沿って並んでいる。すなわち、本実施形態で図示する例では、ドライブ主線３１ＭＬは、主線間隔ＷＭを空けて互いに平行に設けられているものと、主線間隔ＷＭの２倍の主線間隔２ＷＭを空けて互いに平行に設けられているものとがある。
【００３５】
複数のドライブ副線３１ＳＬは、第２線方向ＤＬ２に沿って延びる直線形状を有する線分である。また、第２線方向ＤＬ２と第２電極方向Ｄ２との形成する角度θ１は、０°以上９０°未満であり、第１線方向ＤＬ１と第１電極方向Ｄ１との形成する角度θ２は、０°以上９０°未満である。第１線方向ＤＬ１と第２線方向ＤＬ２とは、相互に交差する方向であって、図４においては、角度θ１、及び、角度θ２は、６６．０４°であり、第１線方向ＤＬ１と第２線方向ＤＬ２との形成する角度は、９０°である。複数のドライブ副線３１ＳＬの一部は、第１電極方向Ｄ１に相互に隣り合う容量検出部ＮＤ間で途切れる線分となっている。複数のドライブ副線３１ＳＬの一部は、例えば、第１線方向ＤＬ１の最小の副線間隔ＷＳから５倍の間隔５ＷＳを空けて、第１線方向ＤＬ１に沿って並んでいる。すなわち、ドライブ副線３１ＳＬは、ＷＳ、２ＷＳ、３ＷＳ、４ＷＳ、及び、５ＷＳの間隔を空けて互いに平行に設けられている。
【００３６】
複数のドライブ副線３１ＳＬの各々は、複数のドライブ主線３１ＭＬを並列に接続している。複数のドライブ副線３１ＳＬの各々は、複数のドライブ主線３１ＭＬを並列に接続し、ドライブ主線３１ＭＬの数は、複数のドライブ主線３１ＭＬを並列に接続するドライブ副線３１ＳＬの数よりも多い。複数のドライブ主線３１ＭＬを並列に接続するドライブ副線３１ＳＬは、１つの容量検出部ＮＤごとに複数ずつ含まれている。ドライブ副線３１ＳＬの存在により、ドライブ主線３１ＭＬの一部に断線が発生しても、ドライブ副線３１ＳＬと断線したドライブ主線３１ＭＬの隣のドライブ主線３１ＭＬを使用して、白丸部分を迂回する伝送路が形成される。そして、ドライブ電極３１ＤＰの有する伝送路のうち、迂回された部分を除く部分においては、通常とほぼ同じ抵抗値が得られる。結果として、ドライブ電極線が第２電極方向Ｄ２に沿って延びる直線形状を有した線分のみからなる構成と比べて、ドライブ電極３１ＤＰにおける抵抗値が、ドライブ電極線の一部分における抵抗値の増大によって増大することが抑えられる。
【００３７】
また、複数のドライブ主線３１ＭＬの一部は、ドライブ主線３１ＭＬとドライブ副線３１ＳＬとが交差する第１交差点３７から先に延びる第１主線末端線分３８ａを有する。また、複数のドライブ副線３１ＳＬの一部は、第１交差点３７から先に延びる第１副線末端線分３８ｂを有する。
本発明では、先端が自由端となっている枝状の第１主線末端線分３８ａおよび第１副線末端線分３８ｂは、根元（第１交差点３７側）で断線が発生した場合のダミー電極化（当初設計値からの寄生容量の低下）に備えて、予め第１交差点３７で断裁しておき、そこから連結して先に延びないダミー電極としておく。同図内に、ダミー化しておいた第１主線末端線分３８ａおよび第１副線末端線分３８ｂの数箇所を点線楕円にて囲って示す。
【００３８】
ドライブ主線３１ＭＬ及びドライブ副線３１ＳＬは、第１電極方向Ｄ１において、相互に隣り合う容量検出部ＮＤ間に跨っていない線分を含み、容量検出部ＮＤ間に、第１隙間３９を形成している。このため、ドライブ主線３１ＭＬの一部は、第１隙間３９に沿う位置に、第１主線末端線分３８ａを有し、また、ドライブ副線３１ＳＬの一部は、第１隙間３９に沿う位置に、第１副線末端線分３８ｂを有している。また、図６の例では、１つの容量検出部ＮＤ内においても、第１主線末端線分３８ａ及び第１副線末端線分３８ｂを形成している。
【００３９】
［センシング電極の構成］
図７を参照してセンシング電極の構成を説明する。図７においては、センシング電極３３ＳＰを構成する複数のセンシング電極線の配置を説明する便宜上、２つのセンシング電極３３ＳＰのなかで４つの容量検出部ＮＤを構成する部分を拡大して示し、かつ、センシング電極線の線幅を誇張している。
また、以下では、主に電極の方向（図６：左右⇔図７：上下）のみで相違するセンシング電極の詳細については、ドライブ電極で代表して説明したものとし、同様の構成での説明を省略する。
【００４０】
複数のセンシング電極３３ＳＰの各々は、複数のセンシング主線３３ＭＬと、複数のセンシング副線３３ＳＬとを備える。センシング主線３３ＭＬは、ドライブ主線３１ＭＬと延在方向が相互に異なり、センシング副線３３ＳＬも、ドライブ副線３１ＳＬと延在方向が異なる。１つのセンシング主線３３ＭＬは、複数のセンシング副線３３ＳＬが交差し、また、１つのセンシング副線３３ＳＬには、複数のセンシング主線３３ＭＬが交差する。
【００４１】
図７に示すように、複数のセンシング主線３３ＭＬの各々は、第２線方向ＤＬ２に沿って延びる直線形状を有する線分である。複数のセンシング主線３３ＭＬは、第１電極方向Ｄ１において相互に隣り合う２つの容量検出部ＮＤに跨る線分となっている。また、センシング主線３３ＭＬの一部は、第２電極方向Ｄ２に相互に隣り合う容量検出部ＮＤ間で途切れる線分となっている。
【００４２】
また、複数のセンシング主線３３ＭＬの一部は、センシング主線３３ＭＬとセンシング副線３３ＳＬとが交差する第２交差点４１から先に延びる第２主線末端線分４２ａを有する。また、複数のセンシング副線３３ＳＬの一部は、第２交差点４１から先に延びる第２副線末端線分４２ｂを有する。
本発明では、先端が自由端となっている枝状の第２主線末端線分４２ａおよび第１２線末端線分４２ｂは、根元（第２交差点４１側）で断線が発生した場合のダミー電極化（当初設計値からの寄生容量の低下）に備えて、予め第２交差点４１で断裁しておき、そこから連結して先に延びないダミー電極としておく。
【００４３】
センシング主線３３ＭＬ及びセンシング副線３３ＳＬは、第２電極方向Ｄ２において、相互に隣り合う容量検出部ＮＤ間に跨っていない線分を含み、容量検出部ＮＤ間に、第２隙間４３を形成している。このため、センシング主線３３ＭＬの一部は、第２隙間４３に沿う位置に、第２主線末端線分４２ａを有し、また、センシング副線３３ＳＬの一部は、第２隙間４３に沿う位置に、第２副線末端線分４２ｂを有している。
【００４４】
［タッチパネル用電極の構成］
図８を参照してタッチセンサ用電極の構成を説明する。図８においては、タッチセンサ用電極を構成する複数の線分の配置を説明する便宜上、図６で説明したドライブ電極３１ＤＰを構成する電極線（３１ＭＬ，３１ＳＬ）は薄い色の線によって示し、図７で説明したセンシング電極３３ＳＰを構成する電極線（３３ＭＬ，３３ＳＬ）は濃い色の線によって示している。
【００４５】
図８に示すように、ドライブ電極３１ＤＰを構成する複数の線分と、センシング電極３３ＳＰを構成する複数の線分とは、四角形状の一例である正方形状を有した単位格子の繰返しである格子パターン４４を構成している。
【００４６】
すなわち、ドライブ主線３１ＭＬは、センシング主線３３ＭＬと相互に交差する位置であって、かつ、第１線方向ＤＬ１において、センシング副線３３ＳＬと重ならない位置に配置されている。また、ドライブ副線３１ＳＬは、センシング副線３３ＳＬと相互に交差する位置であって、かつ、第２線方向ＤＬ２おいて、センシング主線３３ＭＬと重ならない位置に配置されている。更に、センシング主線３３ＭＬは、ドライブ主線３１ＭＬと相互に交差する位置であって、かつ、第２線方向ＤＬ２において、ドライブ副線３１ＳＬと重ならない位置に配置されている。更に、センシング副線３３ＳＬは、ドライブ副線３１ＳＬと相互に交差する位置であって、かつ、第１線方向ＤＬ１において、ドライブ主線３１ＭＬと重ならない位置に配置されている。
【００４７】
上述した第１主線末端線分３８ａや第１副線末端線分３８ｂの断線や第２主線末端線分４２ａや第２副線末端線分４２ｂの断線に伴う静電容量の変化を小さくするため、何れの末端線分についても新たな断線を発生させない様に、予め根元で断線させておくのは、ドライブ電極線とセンシング電極線が立体的に交差した検出領域全体の７０％以上の領域であっても良い。
また、末端線分３８ａ，３８ｂ，４２ａ、４２ｂの形状としては直線に限らず、屈曲点を有する線分（Ｌ字状）や交差点を有する十字状の形状であっても良い。
【００４８】
なお、センシング面と対向する平面視において、ドライブ電極３１ＤＰ、及び、センシング電極３３ＳＰの各々は、光の散乱を抑えるために、黒色を有していることが好ましい。ドライブ電極３１ＤＰやセンシング電極３３ＳＰの黒色化は、例えば、金属配線の酸化処理、あるいは、黒色を有する金属膜のめっき処理等によって実現される。
【００４９】
以上、上記実施形態によれば以下に列記する効果が得られる。
（１）第１主線末端線分３８ａや第１副線末端線分３８ｂが、予めドライブ主線３１ＭＬおよびドライブ副線３１ＳＬから孤立しており、新たなクラック〜断線に伴うダミー電極成分の発生を招かないため、当初設計からの静電容量の変化を小さくすることができ、誤検出を抑制することができる。
【００５０】
（２）第２主線末端線分４２ａや第２副線末端線４２ｂが、予めセンシング主線３３ＭＬおよびセンシング副線３３ＳＬから孤立しており、新たなクラック〜断線に伴うダミー電極成分の発生を招かないため、当初設計からの静電容量の変化を小さくすることができ、誤検出を抑制することができる。
【００５１】
（３）ドライブ主線３１ＭＬがドライブ副線３１ＳＬで接続されているので、ドライブ電極３１ＤＰにおける抵抗値が、ドライブ電極線の一部分における抵抗値の増大によって増大することを抑えられる。
【００５２】
（４）センシング主線３３ＭＬがセンシング副線３３ＳＬで接続されているので、センシング電極３３ＳＰにおける抵抗値が、センシング電極線の一部分における抵抗値の増大によって増大することを抑えられる。
【００５３】
本発明による電極パターンを適用してなるタッチパネル，およびディスプレイは、例えば図９に示すように、タッチパネル２０は、表示パネル１０に近い構成要素から順番に、透明基板３１、ドライブ電極３１ＤＰ、透明接着層３２、透明誘電体基板３３、センシング電極３３ＳＰ、透明接着層２３、カバー層２２が位置している。このうち、透明誘電体基板３３は、複数のドライブ電極３１ＤＰと、複数のセンシング電極３３ＳＰとに挟まれている。
尚、ドライブ電極３１ＤＰとセンシング電極３３ＳＰとは、それぞれ異なる透明誘電体基板上に形成される構成（ＧＦＦと称される）であっても、同一の透明誘電体基板の表裏に形成される構成（ＧＦ２と称される）の何れであっても、本発明の主旨を逸脱するものではなく、用途に応じて適宜採用される。
【図１】
2017004289.tif 000003
【図２】
2017004289.tif 000004
【図３】
2017004289.tif 000005
【図４】
2017004289.tif 000006
【図５】
2017004289.tif 000007
【図６】
2017004289.tif 000008
【図７】
2017004289.tif 000009
【図８】
2017004289.tif 000010
【図９】
2017004289.tif 000011